(57)【要約】【課題】一つの画素が３原色に白色を加えた４色で表示可能であり、その４色の混合比に対応する色信号を入力し表示する表示装置では、通常の色と白色との明るさとの対比が大きくなると、通常の色の見え方に違和感を感じることがある。【解決手段】一つの画素が３原色に白色を加えた４色で表示可能であり、４色の混合比に対応する色信号を入力し表示する表示装置であって、画素に対応する色信号に含まれる所定の色成分を分離する色成分分離手段１０と、色成分検出手段１１と、検出した色成分レベルに応じて係数を発生する係数発生手段１２と、所定の色の補色信号のレベル変換処理手段１３と、乗算部１５と、乗算部出力と元の信号から白成分を分離する白成分分離手段１４の出力とを所定の色成分が存在するときに切り替える選択手段１６と、その選択された方の色信号を白として画素に表示する表示手段１９、２０とを備える。【選択図】図１
2006171049.tif 000002
【特許請求の範囲】
【請求項１】
一つの画素が３原色に白色を加えた４色で表示可能であり、前記４色の混合比に対応する色信号を入力し表示する表示装置であって、
前記画素に対応する前記色信号に所定の色の成分が存在する場合、その色成分の補色信号の振幅を変化させる色補正手段と、
前記所定の色成分に応じた乗算係数を発生する係数発生手段と、
前記色補正により得られた色信号に対して前記係数発生手段によって得られた係数を乗算する乗算部と、
前記４色の混合比に対応する色信号に含まれる白色成分を分離する白成分分離手段と、
前記白成分分離手段で分離された白色成分と前記乗算部の出力とを前記所定の色の成分が含まれる画素について切り替えて選択する選択手段と、
その選択された方の色信号を前記画素の前記白色として表示する表示手段と、
を備えたことを特徴とする表示装置。
【請求項２】
前記所定の色とは、黄色、またはマジェンダ色、またはシアン色であることを特徴とする請求項１に記載の表示装置。
【請求項３】
前記３原色とは、赤色、緑色、及び青色であることを特徴とする請求項１に記載の表示装置。
【請求項４】
前記色信号は、ＲＧＢ信号であることを特徴とする請求項１に記載の表示装置。
【請求項５】
前記所定の色が黄色である場合、前記色補正手段は、前記画素に対応する前記色信号に黄色の成分が存在する場合、その色信号の青色信号の値を増加させることによって前記の色補正を行うことを特徴とする請求項４記載の表示装置。
【請求項６】
前記係数発生手段は、前記所定の色の成分のレベルに応じて０から１の係数を発生することを特徴とする請求項１記載の表示装置。
【請求項７】
一つの画素が３原色に白色を加えた４色で表示可能であり、前記４色の混合比に対応する色信号を入力し表示する表示方法であって、
前記画素に対応する前記色信号に所定の色の成分が存在する場合、その色成分の補色信号の振幅を変化させる色補正ステップと、
前記所定の色成分に応じた乗算係数を発生する係数発生ステップと、
前記色補正により得られた色信号に対して前記係数発生ステップによって得られた係数を乗算する乗算ステップと、
前記４色の混合比に対応する色信号に含まれる白色成分を分離する白成分分離ステップと、
前記白成分分離ステップで分離された白色成分と前記乗算ステップの出力とを前記所定の色の成分が含まれる画素について切り替えて選択する選択ステップと、
その選択された方の色信号を前記画素の前記白色として表示する表示ステップと、
を備えたことを特徴とする表示方法。
【請求項８】
一つの画素が３原色に白色を加えた４色で表示可能であり、前記４色の混合比に対応する色信号を入力し表示する処理をコンピュータに行わせるプログラムであって、
前記画素に対応する前記色信号に所定の色の成分が存在する場合、その色成分の補色信号の振幅を変化させる色補正ステップと、
前記所定の色成分に応じた乗算係数を発生する係数発生ステップと、
前記色補正により得られた色信号に対して前記係数発生ステップによって得られた係数を乗算する乗算ステップと、
前記４色の混合比に対応する色信号に含まれる白色成分を分離する白成分分離ステップと、
前記白成分分離ステップで分離された白色成分と前記乗算ステップの出力とを前記所定の色の成分が含まれる画素について切り替えて選択する選択ステップと、
その選択された方の色信号を前記画素の前記白色として表示する表示ステップと、
を含むことを特徴とするプログラム。
【請求項９】
一つの画素が３原色に白色を加えた４色で表示可能であり、前記４色の混合比に対応する色信号を入力し表示する処理をコンピュータに行わせるプログラムが記録された記録媒体であって、
前記画素に対応する前記色信号に所定の色の成分が存在する場合、その色成分の補色信号の振幅を変化させる色補正ステップと、
前記所定の色成分に応じた乗算係数を発生する係数発生ステップと、
前記色補正により得られた色信号に対して前記係数発生ステップによって得られた係数を乗算する乗算ステップと、
前記４色の混合比に対応する色信号に含まれる白色成分を分離する白成分分離ステップと、
前記白成分分離ステップで分離された白色成分と前記乗算ステップの出力とを前記所定の色の成分が含まれる画素について切り替えて選択する選択ステップと、
その選択された方の色信号を前記画素の前記白色として表示する表示ステップと、
を含むことを特徴とするコンピュータが読み取り可能なプログラムが記録された記録媒体。
【発明の詳細な説明】
【技術分野】
【０００１】
本発明は、一つの画素が３原色に白色を加えた４色で表示可能であり、前記４色の混合比に対応する色信号を入力し表示する表示装置、表示方法、プログラム、及び記録媒体に関するものである。
【背景技術】
【０００２】
カラー表示用のデバイスとしてＣＲＴ、ＬＣＤ（Ｌｉｑｕｉｄ  Ｃｒｙｓｔａｌ  Ｄｅｖｉｃｅ）、ＤＬＰ（Ｄｉｇｉｔａｌ  Ｌｉｇｈｔ  Ｐｒｏｃｅｓｓｉｎｇ  Ｄｅｖｉｃｅ）、ＰＤＰ等が使用されており、一般的な基本色としてはＲＧＢ（赤緑青）３原色が用いられている。これに対して、ＬＣＤディスプレイ、ＤＬＰプロジェクタの一部では明るさを強調するため白色も追加されている。
【０００３】
すなわち、一つの画素がＲ（ｒｅｄ）、Ｇ（ｇｒｅｅｎ）、Ｂ（ｂｌｕｅ）、Ｗ（ｗｈｉｔｅ）の４色を表示可能であり、入力されてくるＲＧＢ信号をこれら４色を混合して表示する表示装置が用いられている（例えば、特許文献１、非特許文献１参照）。このように、一つの画素をＲＧＢＷの４色で表示する表示装置は、例えば直視型の液晶表示装置や、ＤＬＰプロジェクタ等で用いられている。例えばカラーホイールを使用したフィールド順次式の１チップＤＬＰデータプロジェクタでは、ＲＧＢＷの４色カラーホイールが用いられている。また、液晶表示装置であれば、１画素につきＲＧＢＷの４色を表示することができる４つの表示素子が用いられている。
【０００４】
ＲＧＢのみならず、Ｗをも使用してそれぞれの画素を表示することにより、ＲＧＢのみで表示する場合に比べて、明るく表示することができ、コントラストを向上させることができ、また、同じ明るさであればランプの消費電力を削減することができる。
【０００５】
図７に、このような従来の表示装置５１の構成を示す。
【０００６】
表示装置５１は、白成分分離手段１４、白表示素子駆動手段１９、白表示部２０、ＲＧＢ表示素子駆動手段１７、及びＲＧＢ表示部１８から構成される。
【０００７】
白成分分離手段１４は、入力されてくるＲＧＢ信号から白成分を検出する手段である。
【０００８】
白表示素子駆動手段１９は、白成分分離手段１４で検出された白成分を表示するために白表示部２０を駆動する手段である。
【０００９】
白表示部２０は、白表示素子駆動手段１９に駆動されることによって白成分を表示する手段である。
【００１０】
ＲＧＢ表示素子駆動手段１７は、入力されてくるＲＧＢ信号を表示するためにＲＧＢ表示部１８を駆動する手段である。
【００１１】
ＲＧＢ表示部２０は、ＲＧＢ表示素子駆動手段１７に駆動されることによってＲＧＢ成分を表示する手段である。
【００１２】
図８に、表示装置５１が液晶表示装置である場合の表示面構成を示す。５２は、１画素を構成する基本ユニットであり、後方から露光される白色光の透過の程度を独立に制御可能な４個の液晶セルからなる。そして、これら４個の液晶セルに対して、Ｒ、Ｇ、Ｂ、Ｗの４色のフィルタがそれぞれ配置されている。このように、表示装置５１が液晶表示装置である場合には、ＲＧＢ表示部１８、及び白表示部２０の表示面は、図８のような構成になっている。
【００１３】
また、表示装置５１がＤＬＰプロジェクタである場合には、表示面の一つの画素には、カラーホイールと同期して、ＲＧＢＷの４色が時間的に順に切り替えられて表示される構成を有する。すなわち、表示装置５１がＤＬＰプロジェクタである場合には、ＲＧＢ表示部１８、及び白表示部２０は、カラーホイールや、ＤＭＤ（Ｄｉｇｉｔａｌ  Ｍｉｃｒｏｍｉｒｒｏｒ  Ｄｅｖｉｃｅ）などから構成される。
【００１４】
次に、このような従来の表示装置５１の動作を説明する。
【００１５】
パーソナルコンピュータやＤＶＤ装置やテレビ受信装置など表示装置５１に映像を表示する装置から入力されてくるＲＧＢ信号は、ＲＧＢ表示素子駆動手段１７と白成分分離手段１４とに入力される。
【００１６】
ＲＧＢ表示素子駆動手段１７は、入力されてくるＲＧＢ信号を表示するためにＲＧＢ表示部１８の駆動信号を生成し、その駆動信号により、ＲＧＢ表示部１８を駆動する。
【００１７】
一方、白成分分離手段１４は、入力されてくるＲＧＢ信号から白成分を検出し、白成分を白表示素子駆動手段１９に出力する。白表示素子駆動手段１９は、白成分分離手段１４からの白成分を表示するために白表示部２０の駆動信号を生成し、その駆動信号により、白表示部２０を駆動する。
【００１８】
ＲＧＢ表示部１８は、ＲＧＢ表示素子駆動手段１７に駆動されることにより、Ｒ、Ｇ、Ｂの３色を表示する。一方、白表示部２０は、白表示素子駆動手段１９に駆動されることにより、Ｗの１色を表示する。
【００１９】
表示装置５１では、ＲＧＢ表示部１８による白色に、白表示部２０による白色が加算されるため、明るさはＲＧＢ表示部１８だけの場合に比べ約２倍明るくなる。
【００２０】
このように、表示装置５１は、ＲＧＢ３原色と白色との４色によって、明るさやコントラストを向上させた、フルカラー画像の表示を実現することができる。
【特許文献１】特開平５−２４１５５１号公報
【非特許文献１】Ａ．クンツマン（Ａ．Ｋｕｎｚｍａｎ），Ｇ．ペティット（Ｇ．Ｐｅｔｔｉｔｔ），“色順次ＤＬＰのための白色強調（Ｗｈｉｔｅ  Ｅｎｈａｎｃｅｍｅｎｔ  ｆｏｒ  Ｃｏｌｏｒ−Ｓｅｑｕｅｎｔｉａｌ  ＤＬＰ）”，ＳＩＤ国際シンポジウム技術報告ダイジェスト（ＳＩＤ  Ｉｎｔｅｒｎａｔｉｏｎａｌ  Ｓｙｍｐｏｓｉｕｍ  Ｄｉｇｅｓｔ  ｏｆ  Ｔｅｃｈｎｉｃａｌ  Ｐａｐｅｒｓ），アメリカ合衆国，ＳＩＤ（Ｓｏｃｉｅｔｙ  ｆｏｒ  Ｉｎｆｏｒｍａｔｉｏｎ  Ｄｉｓｐｌａｙ），１９９８年５月，第２９巻，ｐｐ．１２１−１２４
【発明の開示】
【発明が解決しようとする課題】
【００２１】
しかしながら、表示装置５１では、ＲＧＢ表示部１８だけの場合に比べ、白表示部２０をも用いることによって、ＲＧＢの色と白色との輝度比が２倍程度大きくなる。その結果、通常の色と白色との明るさの対比が大きくなり、脳が記憶している明るさの感覚からずれてきて、色の見え方に違和感を感じることがある。つまり、白以外の色の映像部分の明るさは、白の部分の明るさに比べて相対的に暗くなる。この結果、色によっては、白の部分との明るさの差が大きいため、見た目の色が異なって見え違和感が生じる。
【００２２】
特に明るい黄色と白との輝度比が大きくなるため、黄色を暗く感じ黄色の記憶色との差が大きくなり違和感が大きくなる。すなわち、図９に示すように、表示画面に明るい黄色であるパステル黄の画素５６と白色である白の画素５５とが表示されている場合、白色との対比により明るい黄色を暗く感じ、明るい黄色が緑色がかって見えることがある。このような違和感は、明るいシアン色や明るいマゼンダ色でも同様に起こる。
【００２３】
すなわち、一つの画素が３原色に白色を加えた４色で表示可能であり、その４色の混合比に対応する色信号を入力し表示する表示装置では、通常の色と白色との明るさとの対比が大きくなると、脳が記憶している明るさの感覚からずれていき通常の色の見え方に違和感を感じることがあるという課題がある。
【００２４】
本発明は、上記課題を考慮し、色の見え方の違和感が減少する表示装置、表示方法、プログラム、及び記録媒体を提供することを目的とするものである。
【課題を解決するための手段】
【００２５】
上述した課題を解決するために、第１の本発明は、一つの画素が３原色に白色を加えた４色で表示可能であり、前記４色の混合比に対応する色信号を入力し表示する表示装置であって、前記画素に対応する前記色信号に所定の色の成分が存在する場合、その色成分の補色信号の振幅を変化させる色補正手段と、前記所定の色成分に応じた乗算係数を発生する係数発生手段と、前記色補正により得られた色信号に対して前記係数発生手段によって得られた係数を乗算する乗算部と、前記４色の混合比に対応する色信号に含まれる白色成分を分離する白成分分離手段と、前記白成分分離手段で分離された白色成分と前記乗算部の出力とを前記所定の色の成分が含まれる画素について切り替えて選択する選択手段と、その選択された方の色信号を前記画素の前記白色として表示する表示手段とを備えたことを特徴とする表示装置である。
【００２６】
また、第２の本発明は、前記所定の色とは、黄色、またはマジェンダ色、またはシアン色であることを特徴とする第１の本発明の表示装置である。
【００２７】
また、第３の本発明は、前記３原色とは、赤色、緑色、及び青色であることを特徴とする第１の本発明の表示装置である。
【００２８】
また、第４の本発明は、前記色信号は、ＲＧＢ信号である第１の本発明の表示装置であることを特徴とする。
【００２９】
また、第５の本発明は、前記所定の色が黄色である場合、前記色補正手段は、前記画素に対応する前記色信号に黄色の成分が存在する場合、その色信号の青色信号の値を増加させることによって前記の色補正を行うことを特徴とする第４の本発明の表示装置である。
【００３０】
また、第６の本発明は、前記係数発生手段は、前記所定の色の成分のレベルに応じて０から１の係数を発生することを特徴とする第１の本発明の表示装置である。
【００３１】
また、第７の本発明は、一つの画素が３原色に白色を加えた４色で表示可能であり、前記４色の混合比に対応する色信号を入力し表示する表示方法であって、前記画素に対応する前記色信号に所定の色の成分が存在する場合、その色成分の補色信号の振幅を変化させる色補正ステップと、前記所定の色成分に応じた乗算係数を発生する係数発生ステップと、前記色補正により得られた色信号に対して前記係数発生ステップによって得られた係数を乗算する乗算ステップと、前記４色の混合比に対応する色信号に含まれる白色成分を分離する白成分分離ステップと、前記白成分分離ステップで分離された白色成分と前記乗算ステップの出力とを前記所定の色の成分が含まれる画素について切り替えて選択する選択ステップと、その選択された方の色信号を前記画素の前記白色として表示する表示ステップとを備えたことを特徴とする表示方法である。
【００３２】
また、第８の本発明は、一つの画素が３原色に白色を加えた４色で表示可能であり、前記４色の混合比に対応する色信号を入力し表示する処理をコンピュータに行わせるプログラムであって、前記画素に対応する前記色信号に所定の色の成分が存在する場合、その色成分の補色信号の振幅を変化させる色補正ステップと、前記所定の色成分に応じた乗算係数を発生する係数発生ステップと、前記色補正により得られた色信号に対して前記係数発生ステップによって得られた係数を乗算する乗算ステップと、前記４色の混合比に対応する色信号に含まれる白色成分を分離する白成分分離ステップと、前記白成分分離ステップで分離された白色成分と前記乗算ステップの出力とを前記所定の色の成分が含まれる画素について切り替えて選択する選択ステップと、その選択された方の色信号を前記画素の前記白色として表示する表示ステップとを含むことを特徴とするプログラムである。
【００３３】
また、第９の本発明は、一つの画素が３原色に白色を加えた４色で表示可能であり、前記４色の混合比に対応する色信号を入力し表示する処理をコンピュータに行わせるプログラムが記録された記録媒体であって、
前記画素に対応する前記色信号に所定の色の成分が存在する場合、その色成分の補色信号の振幅を変化させる色補正ステップと、前記所定の色成分に応じた乗算係数を発生する係数発生ステップと、前記色補正により得られた色信号に対して前記係数発生ステップによって得られた係数を乗算する乗算ステップと、前記４色の混合比に対応する色信号に含まれる白色成分を分離する白成分分離ステップと、前記白成分分離ステップで分離された白色成分と前記乗算ステップの出力とを前記所定の色の成分が含まれる画素について切り替えて選択する選択ステップと、その選択された方の色信号を前記画素の前記白色として表示する表示ステップと、を含むことを特徴とするコンピュータが読み取り可能なプログラムが記録された記録媒体である。
【発明の効果】
【００３４】
本発明は、所定の色成分を含む画素について、その画素が含む白成分を増加させることにより、その画素の明るさを上げて表示することに対して、所定の色と白色との明るさの対比が大きくなると、脳が記憶している明るさの感覚からずれていき所定の色の見え方に違和感を感じることがあるという課題を解決することができる。
【発明を実施するための最良の形態】
【００３５】
以下に、本発明の実施の形態の図面を参照して説明する。
【００３６】
（実施の形態）
図１に、実施の形態の表示装置６０を示す。
【００３７】
表示装置６０は、色成分分離手段１０、色成分検出手段１１，係数発生手段１２、レベル変換処理手段１３、乗算部１５、選択手段１６、白成分分離手段１４、白表示素子駆動手段１９、白表示部２０、ＲＧＢ表示素子駆動手段１７、及びＲＧＢ表示部１８から構成される。
【００３８】
色成分分離手段１０は、入力されてくるＲＧＢ信号に黄色成分が含まれている場合には、その黄色成分を分離する手段である。
【００３９】
色成分検出手段１１は、色成分分離手段１０の出力により、入力されてくるＲＧＢ信号に黄色成分が含まれている場合には、その黄色成分の有無を検出する手段である。
【００４０】
係数発生手段１２は、色成分分離手段１０の出力である黄色成分のレベルを０から１の係数Ｋに変換し出力する手段である。
【００４１】
レベル変換処理手段１３は、入力されてくるＲＧＢ信号のうち黄色の補色であるＢ信号を入力し、そのＢ信号に対して、信号レベルを変換して出力する手段である。
【００４２】
乗算部１５は、係数Ｋと、レベル変換処理手段１３で得られた信号レベルとを乗算する。
【００４３】
選択手段１６は、乗算部１５から出力された信号、および白成分分離手段１４にて入力されてくるＲＧＢ信号から分離された白成分信号のいずれかを、色成分検出手段１１から出力されてくる信号に基づいて選択して出力する手段である。
【００４４】
また、白成分分離手段１４、白表示素子駆動手段１９、白表示部２０、ＲＧＢ表示素子駆動手段１７、及びＲＧＢ表示部１８については、背景技術で説明したものと同様であるので、説明を省略する。
【００４５】
なお、本実施の形態のレベル変換処理手段１３は、本発明の色補正手段の例であり、白表示素子駆動手段１９、白表示部２０は本発明の表示手段の例であり、本実施の形態のＲ（赤）色、Ｇ（緑）色、Ｂ（青）色は本発明の３原色の例であり、本実施の形態のＲＧＢ信号は本発明の色信号の例であり、本実施の形態の黄色は本発明の所定の色の例である。
【００４６】
次に、このような本実施の形態の動作を説明する。
【００４７】
パーソナルコンピュータやＤＶＤ装置やテレビ受信装置など表示装置６０に映像を表示する装置から入力されてくるＲＧＢ信号は、色成分分離手段１０、ＲＧＢ表示素子駆動手段１７、および白成分分離手段１４に入力される。また、その入力されてくるＲＧＢ信号のうち、Ｂ信号は、レベル変換処理手段１３に入力される。
【００４８】
色成分分離手段１０は、入力されてくるＲＧＢ信号に含まれている黄色成分信号のみを分離して出力する。
【００４９】
色成分検出手段１１は、色成分分離手段１０から出力された黄色成分信号によって、入力されてくるＲＧＢ信号に黄色成分が含まれているかどうかを検出し含まれている場合は１を、含まれていない場合は０を出力する。
【００５０】
図５に、ＲＧＢ信号の一例を示す。赤色を表すＲ信号、緑色を表すＧ信号、及び青色を表すＢ信号は、それぞれ０から２５５までの２５６通りの値を取りうる信号であり、この値が大きいほど高い輝度の色を表す。図５のＲＧＢ信号には、緑成分３１、黄色成分３２、及び白成分３３が含まれている。
【００５１】
色成分分離手段１０において、ＲＧＢ信号から黄色成分を分離することは、黄色成分３２を分離し出力することである。
【００５２】
図２を用いて色成分分離手段１０および色成分検出手段１１の一例を説明する。
【００５３】
図２において、大小比較手段２１は入力信号の値の大小を比較し、いずれか小さい値の方を出力する。加算部２２は、入力されてくる信号を、大小比較手段２１の出力から減算するように作用する。符号判定部２３は、入力信号の値の符号を判定し、正ならば１を、負ならば０を出力する。
【００５４】
色成分分離手段１０に入力されるＲＧＢ信号のうちＲ信号とＧ信号とを大小比較手段２１に入力する。大小比較手段２１は、Ｒ信号およびＧ信号のうち値の小さい方を出力するので、図５に示したＲＧＢ信号の場合は、Ｒ信号を出力する。
【００５５】
加算部２２には、Ｂ信号を入力し、大小比較手段２１の出力から減算するため、図５のＲＧＢ信号の場合では、Ｒ信号の値からＢ信号の値を減算し、結果、黄色成分３２の値を得る。
【００５６】
黄色成分を検出することは、Ｒ信号の値とＧ信号の値とがともにＢ信号の値より大きい場合を検出することにより行うことができる。すなわち、Ｒ信号の値とＧ信号の値とがともにＢ信号の値より大きい場合にはＲＧＢ信号に黄色成分が含まれていることになる。そこで色成分検出手段１１を構成する符号判定部２３では、色成分分離手段１０の出力である黄色成分３２の値の正負を判定する。図５に示したＲＧＢ信号レベルの場合は、黄色成分３２は正である。すなわち入力信号には黄色成分が含まれていると判定し、結果、１を出力する。もし、Ｂ信号の値が大小比較手段２１の出力信号の値より大きい場合、すなわち入力信号に黄色成分が含まれていない場合は、加算部２２の出力信号の値は負であるため、符号判定部２３は０を出力する。
【００５７】
図３に、テーブルを用いた係数発生手段１２の入出力の一例を示す。
【００５８】
係数発生手段１２は、色成分分離手段１０の出力である黄色成分信号を入力とし、黄色成分が少ないときは０に近く、多いときは１に近い値を係数Ｋとして出力する。黄色成分と係数Ｋとの関係の一例を示したものが図３における実線の曲線である。この曲線は黄色成分のレベルに応じて見え方を制御するものであり、実際には最も効果的な曲線を自由に設定できる。
【００５９】
図４に変換テーブルを用いたレベル変換処理手段１３の入出力の一例を示す。レベル変換処理手段１３は黄色の補色であるＢ信号をその入力として、図４の実線の曲線で示すような変換曲線の一例に応じて変換し出力する。Ｂ信号レベルが小さいときは０に近く、多いときは２５５に近い値に変換する。変換後の出力値はすなわち、黄色成分を含む画素の白成分レベルとなるため、図４における変換曲線は、破線で示した傾き１の直線に比してＢ信号レベルを上げることによって白成分レベルを多くし、結果、黄色成分を含む画素の輝度を上げる効果を得ることができる。このように、この変換曲線はレベル変換処理手段１３へ入力するＢ信号に対して振幅を増加する変換を行う。また、変換曲線は、実際には最も効果的な曲線を自由に設定できる。
【００６０】
レベル変換処理手段１３の出力と係数発生手段１２の係数Ｋとを乗算部１５で乗算する。この結果、黄色成分を含む画素の白成分レベルを、含まれる黄色成分レベルおよび含まれる白成分レベルに応じて、違和感のない最適な見え方になるように変換することができる。
【００６１】
選択手段１６は、色成分検出手段１１の出力により、表示装置６０に入力されたＲＧＢ信号に黄色成分が含まれる場合は乗算部１５の出力を、黄色成分が含まれない場合は白成分分離手段１４の出力を選択するよう作用する。選択手段１６により選択された信号は白信号として白表示素子駆動手段１９および白表示部２０により白色表示される。
【００６２】
図６に従来例と本発明の実施形態とにおける白成分レベルの変化を示し、本発明による効果を説明する。
【００６３】
図６（ａ）は従来例すなわち図７の表示装置５１における白成分レベルを示す。図６（ａ）の左側に示すＲＧＢ信号を表示装置５１に入力した場合、図５において説明したように白成分はＢ信号レベルに等しいため図６（ａ）における右側のＷ信号すなわち表示装置５１の白成分分離手段１４の出力信号が白として表示される。
【００６４】
図６（ｂ）は本発明の実施形態で述べた表示装置６０を用いた場合の白成分レベルを示す。図６（ｂ）の左側に示すＲＧＢ信号を表示装置６０に入力した場合、黄成分が含まれるため選択手段１６は乗算部１５の出力を選択するよう作用し、結果、図６（ｂ）の右側に示す白信号Ｗを得る。すなわち、白成分レベルを元の信号における白信号レベルより上げることが可能となり、結果、信号レベルを上げた白を表示することにより、黄色成分を含む信号を表示する際に明るさを上げて表示することができる。
【００６５】
かかる構成によれば、所定の色成分を含む画素について、その画素が含む白成分を増加させることにより、その画素の明るさを上げて表示することに対して、所定の色と白色との明るさの対比が大きくなると、脳が記憶している明るさの感覚からずれていき所定の色の見え方に違和感を感じることがあるという課題を解決することができる。
【００６６】
実施の形態では、明るい黄色（彩度が低い黄色）すなわちパステルイエローが、その映像部分が白色に囲まれていたり、白色に隣接したりしていても、緑色がかって見えるなどの、見た目の色が異なって見える違和感を減少することができた。
【００６７】
なお、本実施の形態において、レベル変換処理手段１３は、変換テーブルを用いて図４に示す変換処理を行うとして説明したが、これに限らない。例えば、ハードウェアやソフトウェアによる演算処理によって図４に示す変換処理を行うなど、変換テーブル以外の方法を用いて図４の変換処理を行っても構わない。
【００６８】
また、係数発生手段１２は、テーブルを用いて図３に示す係数発生を行うとして説明したが、これに限らない。例えば、ハードウェアやソフトウェアによる演算処理によって図３に示す係数発生を行うなど、テーブル以外の方法を用いて図３の係数発生を行っても構わない。
【００６９】
また、本実施の形態においては、請求項記載の所定の色を黄色として説明したが、シアン色、マゼンタ色でもＲ、Ｇ、Ｂの各信号が入れ替わるだけで本実施の形態と同じ構成で構わない。
【００７０】
また、本発明のプログラムは、上述した本発明の表示装置の全部または一部の手段の機能をコンピュータにより実行させるためのプログラムであって、コンピュータと協働して動作するプログラムである。
【００７１】
また、本発明の記録媒体は、上述した本発明の表示装置の全部または一部の手段の全部または一部の機能をコンピュータにより実行させるためのプログラムを担持した記録媒体であり、コンピュータにより読み取り可能且つ、読み取られた前記プログラムが前記コンピュータと協動して前記機能を実行する記録媒体である。
【００７２】
また、本発明の上記「一部の手段」とは、それらの複数の手段の内の、一つまたは幾つかの手段を意味する。
【００７３】
また、本発明の上記「手段の機能」とは、前記手段の全部または一部の機能を意味する。
【００７４】
また、本発明のプログラムの一利用形態は、コンピュータにより読み取り可能な記録媒体に記録され、コンピュータと協働して動作する態様であっても良い。
【００７５】
また、本発明のプログラムの一利用形態は、伝送媒体中を伝送し、コンピュータにより読みとられ、コンピュータと協働して動作する態様であっても良い。
【００７６】
また、記録媒体としては、ＲＯＭ等が含まれ、伝送媒体としては、インターネット等の伝送媒体、光・電波・音波等が含まれる。
【００７７】
また、上述した本発明のコンピュータは、ＣＰＵ等の純然たるハードウェアに限らず、ファームウェアや、ＯＳ、更に周辺機器を含むものであっても良い。
【００７８】
以上説明した様に、本発明の構成は、ソフトウェア的に実現しても良いし、ハードウェア的に実現しても良い。
【産業上の利用可能性】
【００７９】
本発明に係る表示装置、表示方法、プログラム、及び記録媒体は、色の見え方の違和感が減少する効果を有し、一つの画素が３原色に白色を加えた４色で表示可能であり、前記４色の混合比に対応する色信号を入力し表示する表示装置、表示方法、プログラム、及び記録媒体等に有用である。
【図面の簡単な説明】
【００８０】
【図１】本発明の実施の形態における表示装置の構成を示すブロック図
【図２】本発明の実施の形態における色成分分離手段と色成分検出手段の構成を示すブロック図
【図３】本発明の実施の形態における係数発生手段の動作を説明する図
【図４】本発明の実施の形態におけるレベル変換処理手段の動作を説明する図
【図５】本発明の実施の形態におけるＲＧＢ信号の一例を示す図
【図６】（ａ）従来の白成分レベルを示す図、（ｂ）本発明の実施の形態における白成分レベルを示す図
【図７】従来の表示装置の構成を示すブロック図
【図８】従来の表示装置が液晶表示装置である場合の表示面構成を示す図
【図９】従来の表示装置の表示画面の一例を示す図
【符号の説明】
【００８１】
１０  色成分分離手段
１１  色成分検出手段
１２  係数発生手段
１３  レベル変換処理手段
１４  白成分分離手段
１５  乗算部
１６  選択手段
１７  ＲＧＢ表示素子駆動手段
１８  ＲＧＢ表示部
１９  白表示素子駆動手段
２０  白表示部
２１  大小比較手段
２２  加算部
２３  符号判定部
【図１】
2006171049.tif 000003
【図２】
2006171049.tif 000004
【図３】
2006171049.tif 000005
【図４】
2006171049.tif 000006
【図５】
2006171049.tif 000007
【図６】
2006171049.tif 000008
【図７】
2006171049.tif 000009
【図８】
2006171049.tif 000010
【図９】
2006171049.tif 000011